(57)【要約】【課題】保証書の再収納が終った状態において、包装箱の天面をフラットな状態に保持できるようにした包装箱を提供する。【解決手段】２組の対向側板２、３と、この対向側板２、３の下端に連設された底板形成用フラップと、この対向側板２、３の上端に連設された上蓋形成用フラップ６，６、７，７とを備え、内側および外側に位置する各一方の上蓋形成用フラップ６，７の互いに重なる一端部において保証書が入っている袋を挟む位置にある外側に位置する一方の上蓋形成用フラップ７には袋の幅よりも僅かに大きな幅の切り起こし片１３が形成されてあり、保証書が入っている袋を挟む位置にある内側の一方の上蓋形成用フラップ６の一端部には内端側において袋の幅よりも僅かに大きな幅の切り欠き部１４が形成されてあり、切り起こし片１３に連設した舌片１７を内側の一方の上蓋形成用フラップ６の押し込み片１９の回りの空間内に係合させるようにした。【選択図】    図５
2005200033.tif 000002
【特許請求の範囲】
【請求項１】
段ボール板を材料として作られ平面形状が長方形もしくは正方形の包装箱であって、２組の対向側板と、この対向側板の下端に連設された底板形成用フラップと、この対向側板の上端に連設された上蓋形成用フラップとを備え、前記２組の対向側板の内、一方の対向側板の上端に連設された上蓋形成用フラップは先に折り曲げられ、続いて２組の対向側板の内、他方の対向側板の上端に連設された上蓋形成用フラップを折り曲げることによって上蓋が形成され、外側に位置する上蓋形成用フラップの突き合わせ部に沿って封緘テープが貼着されて上蓋が閉じられるように構成され、内側に位置する上蓋形成用フラップの何れか一方の上蓋形成用フラップと外側に位置する上蓋形成用フラップの何れか一方の上蓋形成用フラップとの間で保証書が入っている封筒状の袋を挟み、袋の一端は互いに重なる上蓋形成用フラップ間から突出し、内側に位置する前記一方の上蓋形成用フラップを連設する側板の外面に貼り付けられるように構成され、前記内側および外側に位置する各一方の上蓋形成用フラップの互いに重なる一端部において保証書が入っている袋を挟む位置にある外側に位置する一方の上蓋形成用フラップには袋の幅よりも僅かに大きな幅の切り起こし片が形成されてあり、保証書が入っている袋を挟む位置にある内側の一方の上蓋形成用フラップの一端部には内端側において袋の幅よりも僅かに大きな幅の切り欠き部が形成されてあり、前記切り起こし片は、前記外側の一方の上蓋形成用フラップの一端部において前記側板との連設線上に第１のカット線が形成され、またこの第１のカット線に対向し前記袋の幅よりも僅かに大きい間隔をおいて前記外側の一方の上蓋形成用フラップの端部から前記第１のカット線と同長さの第２のカット線が形成されているとともに、この第１および第２の２本のカット線の端部間において前記外側の一方の上蓋形成用フラップに折曲線が形成されることにより形成され、前記第２のカット線の途中には切り起こし片の外側に飛び出すように舌片が形成されてあり、前記内側の一方の上蓋形成用フラップの切り欠き部はこの内側の一方の上蓋形成用フラップの先端から上側に位置する前記外側の一方の上蓋形成用フラップに形成された折曲線よりも内側の一方の上蓋形成用フラップと側板との連設部側に僅かに寄った位置までの範囲で形成されてあり、この内側の一方の上蓋形成用フラップと外側の一方の上蓋形成用フラップとの間で挟まれた前記袋の他端側が前記切り欠き部より包装箱内の空間部に入り込むように構成され、前記内側の一方の上蓋形成用フラップには前記外側の一方の上蓋形成用フラップに前記第２のカット線の途中に形成された舌片の下側に位置するように押し込み片が形成されてあり、前記内側の一方の上蓋形成用フラップの一端部側の側面には凹部が形成されていることを特徴とする包装箱。
【請求項２】
内側の一方の上蓋形成用フラップの一端部側の幅の狭い板部にこの上蓋形成用フラップの一端部側の側面と平行に切り込みを入れてあり、この上蓋形成用フラップの一端部側の側面と切り込みとの間の板部を持ち上げることができるように構成したことを特徴とする請求項１記載の包装箱。
【発明の詳細な説明】
【技術分野】
【０００１】
本発明は、段ボール板を材料として作られた包装箱に関するものである。
【背景技術】
【０００２】
家電製品を販売時、販売店レジで保証書が入っている袋を包装箱から取り出し、保証書に販売店名や日付などを記入する必要がある。そのため、家電製品を収納する包装箱は一旦開封し、袋から保証書を取り出して必要事項を記入した後、保証書を袋に入れた状態でその袋を再度包装箱に収納し、包装箱を再封緘しているのであるが、再封緘するのに手間がかかるという問題がある。
そこで、このような問題を解決するために特許文献１に開示されている段ボール板を材料として作られた包装箱が知られている。この特許文献１に開示されている包装箱は、２組の対向側板と、この対向側板の下端に連設された底板形成用フラップと、この対向側板の上端に連設された上蓋形成用フラップとを備え、前記２組の対向側板の内、一方の対向側板の上端に連設された上蓋形成用フラップは先に折り曲げられ、続いて２組の対向側板の内、他方の対向側板の上端に連設された上蓋形成用フラップを折り曲げることによって上蓋が形成され、外側に位置する上蓋形成用フラップの突き合わせ部に沿って封緘テープが貼着されて上蓋が閉じられるようになっており、内側に位置する上蓋形成用フラップの何れか一方の上蓋形成用フラップと外側に位置する上蓋形成用フラップの何れか一方の上蓋形成用フラップとの間で保証書が入っている封筒状の袋を挟み、袋の一端は互いに重なる上蓋形成用フラップ間から突出し、内側に位置する前記一方の上蓋形成用フラップを連設する側板の外面に貼り付けられるようになっており、前記内側および外側に位置する各一方の上蓋形成用フラップの互いに重なる一端部にはそれぞれ切り起こし片が形成されてあり、前記外側に位置する一方の上蓋形成用フラップに形成された切り起こし片を持ち上げることにより、その切り起こし片の突出片による下向きの押し付け力が袋を介して内側に位置する一方の上蓋形成用フラップに形成された切り起こし片の押し付け力受け板部に伝わり、押し付け力受け板部と一体の袋持ち上げ板部を上向きに傾斜させ、保証書が入っている袋を持ち上げるように構成したものである。
【特許文献１】特開２００３−９５２４８号公報
【発明の開示】
【発明が解決しようとする課題】
【０００３】
上記特許文献１に開示されている包装箱によれば、保証書が入っている封筒状の袋の取り出し、再収納は外側に位置する一方の上蓋形成用フラップに形成された切り起こし片を持ち上げることにより、その切り起こし片の突出片による下向きの押し付け力が袋を介して内側に位置する一方の上蓋形成用フラップに形成された切り起こし片の押し付け力受け板部に伝わり、それにより押し付け力受け板部が下向きに押されて袋持ち上げ板部が上向きに傾斜し、保証書が入っている袋が持ち上げられて袋を包装箱の外側に引き出し、袋から保証書を取り出して販売店名や日付などを記入することができる。販売店名や日付などが記入された保証書は再度袋の中に入れられ、その袋を内側に位置する一方の上蓋形成用フラップ側の切り起こし片の上に差し込み、その後外側に位置する一方の上蓋形成用フラップ側の切り起こし片を閉じることにより保証書が入っている袋は包装箱に再収納されることになり、販売店レジで保証書を取り出す際、包装箱を開封したり再封緘する必要がなく、保証書の取り出しや再収納を容易に行なうことができるようになっている。
【０００４】
しかしながら、この特許文献１に開示されている包装箱は保証書が入っている封筒状の袋を取り出す場合、外側に位置する一方の上蓋形成用フラップに形成された切り起こし片を持ち上げることにより、その切り起こし片の突出片による下向きの押し付け力が袋を介して内側に位置する一方の上蓋形成用フラップに形成された切り起こし片の押し付け力受け板部に伝わり、それにより押し付け力受け板部が下向きに押されて袋持ち上げ板部が上向きに傾斜し、保証書が入っている袋が持ち上げられて袋を包装箱の外側に引き出すことができるようになっているが、切り起こし片を持ち上げてこの切り起こし片の突出片により内側に位置する一方の上蓋形成用フラップに形成された切り起こし片の押し付け力受け板部を押し付けることにより、切り起こし片の突出片は折れ曲がるという問題があった。また、前記外側に位置する一方の上蓋形成用フラップに形成された切り起こし片は一度持ち上げられると折り曲げの癖が付き、保証書の再収納が終って外側に位置する一方の上蓋形成用フラップ側の切り起こし片を閉じてもこの切り起こし片は浮き上がり、また前記折れ曲がった突出片も浮き上がり、包装箱の天面が完全にフラットな状態にならないという問題があった。
【０００５】
本発明の目的は、このような課題を解決するものであり、保証書の再収納が終って外側に位置する一方の上蓋形成用フラップに形成された切り起こし片を閉じてもこの切り起こし片の浮き上がりを防止し、包装箱の天面をフラットな状態に保持できるようにした包装箱を提供することにある。
【課題を解決するための手段】
【０００６】
本発明の請求項１に記載の包装箱は、段ボール板を材料として作られ平面形状が長方形もしくは正方形の包装箱であって、２組の対向側板と、この対向側板の下端に連設された底板形成用フラップと、この対向側板の上端に連設された上蓋形成用フラップとを備え、前記２組の対向側板の内、一方の対向側板の上端に連設された上蓋形成用フラップは先に折り曲げられ、続いて２組の対向側板の内、他方の対向側板の上端に連設された上蓋形成用フラップを折り曲げることによって上蓋が形成され、外側に位置する上蓋形成用フラップの突き合わせ部に沿って封緘テープが貼着されて上蓋が閉じられるように構成され、内側に位置する上蓋形成用フラップの何れか一方の上蓋形成用フラップと外側に位置する上蓋形成用フラップの何れか一方の上蓋形成用フラップとの間で保証書が入っている封筒状の袋を挟み、袋の一端は互いに重なる上蓋形成用フラップ間から突出し、内側に位置する前記一方の上蓋形成用フラップを連設する側板の外面に貼り付けられるように構成され、前記内側および外側に位置する各一方の上蓋形成用フラップの互いに重なる一端部において保証書が入っている袋を挟む位置にある外側に位置する一方の上蓋形成用フラップには袋の幅よりも僅かに大きな幅の切り起こし片が形成されてあり、保証書が入っている袋を挟む位置にある内側の一方の上蓋形成用フラップの一端部には内端側において袋の幅よりも僅かに大きな幅の切り欠き部が形成されてあり、前記切り起こし片は、前記外側の一方の上蓋形成用フラップの一端部において前記側板との連設線上に第１のカット線が形成され、またこの第１のカット線に対向し前記袋の幅よりも僅かに大きい間隔をおいて前記外側の一方の上蓋形成用フラップの端部から前記第１のカット線と同長さの第２のカット線が形成されているとともに、この第１および第２の２本のカット線の端部間において前記外側の一方の上蓋形成用フラップに折曲線が形成されることにより形成され、前記第２のカット線の途中には切り起こし片の外側に飛び出すように舌片が形成されてあり、前記内側の一方の上蓋形成用フラップの切り欠き部はこの内側の一方の上蓋形成用フラップの先端から上側に位置する前記外側の一方の上蓋形成用フラップに形成された折曲線よりも内側の一方の上蓋形成用フラップと側板との連設部側に僅かに寄った位置までの範囲で形成されてあり、この内側の一方の上蓋形成用フラップと外側の一方の上蓋形成用フラップとの間で挟まれた前記袋の他端側が前記切り欠き部より包装箱内の空間部に入り込むように構成され、前記内側の一方の上蓋形成用フラップには前記外側の一方の上蓋形成用フラップに前記第２のカット線の途中に形成された舌片の下側に位置するように押し込み片が形成されてあり、前記内側の一方の上蓋形成用フラップの一端部側の側面には凹部が形成されていることを特徴とするものである。
【０００７】
請求項２に記載の包装箱は、内側の一方の上蓋形成用フラップの一端部側の幅の狭い板部にこの上蓋形成用フラップの一端部側の側面と平行に切り込みを入れてあり、この上蓋形成用フラップの一端部側の側面と切り込みとの間の板部を持ち上げることができるように構成したことを特徴とするものである。
【発明の効果】
【０００８】
以上のように、本発明の包装箱は、保証書の再収納が終って外側に位置する一方の上蓋形成用フラップに形成された切り起こし片を閉じた状態において切り起こし片に設けた舌片を下に押し込んで内側に位置する一方の上蓋形成用フラップに形成された切り込みで囲まれた空間内に係合させることにより切り起こし片の浮き上がりを防止することができ、包装箱の天面をフラットな状態に保持することができる。
【発明を実施するための最良の形態】
【０００９】
以下、本発明の実施の形態を、図面に基づいて具体的に説明する。
先ず、図１〜図６に示す第１の実施の形態について説明すると、１は段ボール板を材料として作られ平面形状が長方形（もしくは正方形）の包装箱であって、２組の対向側板２，２、３，３と、この対向側板２，２、３，３の下端に連設された底板形成用フラップ４，４、５，５と、この対向側板２，２、３，３の上端に連設された上蓋形成用フラップ６，６、７，７とを備えている。具体的には、２組の対向側板２，２、３，３の内、短辺側の対向側板２，２の下端に連設された底板形成用フラップ４，４は先に折り曲げられ、続いて２組の対向側板２，２、３，３の内、長辺側の対向側板３，３の下端に連設された底板形成用フラップ５，５を折り曲げることによって底板が形成され、外側の底板形成用フラップ５，５の突き合わせ部に沿って封緘テープ８が貼着されて底板が閉じられるようになっている。また、上蓋形成用フラップ６，６、７，７についても同様で、２組の対向側板２，２、３，３の内、短辺側の対向側板２，２の上端に連設された上蓋形成用フラップ６，６は先に折り曲げられ、続いて２組の対向側板２，２、３，３の内、長辺側の対向側板３，３の上端に連設された上蓋形成用フラップ７，７を折り曲げることによって上蓋が形成され、外側の上蓋形成用フラップ７，７の突き合わせ部に沿って封緘テープ９が貼着されて上蓋が閉じられるようになっている。なお、上蓋が閉じられる前に包装箱１の中に被包装物１０が発泡スチロール製の緩衝材１１により保護された状態で収納されるとともに、先に折り曲げられた２枚の上蓋形成用フラップ６，６の何れかの上に保証書が入っている封筒状の袋１２が載せられ、その上から上蓋形成用フラップ７，７が閉じられて保証書が入っている袋１２を上蓋形成用フラップ６と上蓋形成用フラップ７との間で挟むようにしてある。保証書が入っている袋１２の一端は上蓋形成用フラップ６と上蓋形成用フラップ７との間から突出し、短辺側の一方の側板２の外面に貼り付けられる。
【００１０】
ところで、本実施の形態では保証書が入っている袋１２を挟む位置にある外側の一方の上蓋形成用フラップ７の一端部には保証書が入っている袋１２の取り出しを容易に行なえるようにするために、袋１２の幅よりも僅かに大きな幅の切り起こし片１３が形成されている。また、保証書が入っている袋１２を挟む位置にある内側の一方の上蓋形成用フラップ６の一端部には内端側において袋１２の幅よりも僅かに大きな幅の切り欠き部１４が形成されている。
【００１１】
次に、この切り起こし片１３および切り欠き部１４の形成部について詳細に説明する。先ず、前記切り起こし片１３は、内側の一方の上蓋形成用フラップ６の上から重なる外側の一方の上蓋形成用フラップ７の一端部において長辺側の一方の側板３との連設線上に端部から袋１２の長さのほぼ２分の１〜４分の１程度の長さ分の第１のカット線１５ａが形成されており、またこの第１のカット線１５ａに対向し前記袋１２の幅よりも僅かに大きい間隔をおいて前記一方の上蓋形成用フラップ７の端部から第１のカット線１５ａと同長さの第２のカット線１５ｂが形成されているとともに、この第１および第２の２本のカット線１５ａ，１５ｂの端部間において前記一方の上蓋形成用フラップ７には折曲線１６が形成されていることにより形成されている。そして、前記第２のカット線１５ｂの途中には切り起こし片１３の外側に飛び出すように舌片１７が切り込み１８により形成されている。
【００１２】
次に、前記内側の一方の上蓋形成用フラップ６の切り欠き部１４はこの上蓋形成用フラップ６の先端から上側に位置する前記外側の一方の上蓋形成用フラップ７に形成された折曲線１６よりも短辺側の側板２との連設部側に僅かに寄った位置までの範囲で形成されている。そして、上蓋形成用フラップ６と上蓋形成用フラップ７との間で挟まれた前記保証書が入っている袋１２の他端側が切り欠き部１４より緩衝材１１の存在しない包装箱１内の空間部に入り込むようになっている。また、前記内側の一方の上蓋形成用フラップ６には前記外側の一方の上蓋形成用フラップ７に前記第２のカット線１５ｂの途中に形成された舌片１７の下側に位置するように押し込み片１９が切り込み２０により形成されている。
【００１３】
なお、前記内側の一方の上蓋形成用フラップ６の一端部側の側面には半円形の凹部２１が１つ形成されており、前記外側の一方の上蓋形成用フラップ７に形成された切り起こし片１３の前記折曲線１６とは反対側の端部には半円形の凹部２２が２つ隣接して形成されている。
【００１４】
上記構成において、包装箱１の中に収納される被包装物１０の保証書が入っている封筒状の袋１２は、包装箱１の中に被包装物１０が収納されて先に閉じられた２枚の上蓋形成用フラップ６，６の内、一方の上蓋形成用フラップ６の一端部側の上に載せられるとともに袋１２の一端は前記短辺側の一方の側板２の外面に貼り付けられる。そして、最終的に上蓋形成用フラップ７，７が閉じられて上蓋形成用フラップ７，７の付き合わせ部に沿って封緘テープ９が貼着され、包装完了状態となる。ところで，前記一方の上蓋形成用フラップ６の一端部側の上に載せられた袋１２の他端は前記切り欠き部１４から包装箱１の内部に突出することになる。
【００１５】
以上のように包装された被包装物１０の販売時、販売店レジで保証書が入っている袋１２を包装箱１から取り出し、保証書に販売店名や日付などを記入する必要がある。そのとき、前記外側の一方の上蓋形成用フラップ７に形成された２本のカット線１５ａ，１５ｂおよび切り込み１８をカットしながら切り起こし片１３を前記端部の凹部２２に指を入れて持ち上げることにより、前記内側の一方の上蓋形成用フラップ６の上に載せられている袋１２が露出し、前記内側の一方の上蓋形成用フラップ６の一端部側の側面の凹部２１に指を入れて袋１２を引き上げて引っ張ることにより袋１２は包装箱１の外側に引き出され、袋１２から保証書を取り出して販売店名や日付などを記入すれば良い。販売店名や日付などが記入された保証書は再度袋１２の中に入れられ、その袋１２を前記した取り出し時とは逆の手順で前記内側の一方の上蓋形成用フラップ６の上に差し込み、その後外側の一方の上蓋形成用フラップ７側の切り起こし片１３を閉じることにより保証書が入っている袋１２は包装箱１に再収納されることになる。そのとき、切り起こし片１３に設けた前記舌片１７を下に押し込んで内側の一方の上蓋形成用フラップ６に形成された切り込み２０を破断させて押し込み片１９に重なるように切り込み２０で囲まれた空間内に係合させることにより切り起こし片１３の浮き上がりを防止することができる。なお、舌片１７を下に押し込む位置においてその下側の緩衝材１１の上面には凹部２３が形成されている。
【００１６】
次に、図７〜図８に示す第２の実施の形態について説明すると、この第２の実施の形態は前記第１の実施の形態の構成に加えて、前記内側の一方の上蓋形成用フラップ６の一端部側の幅の狭い板部２４にこの上蓋形成用フラップ６の一端部側の側面と平行に切り込み２５を入れてあり、上蓋形成用フラップ６の一端部側の側面と切り込み２５との間の板部２４ａを持ち上げることができるようになっている。
【００１７】
このような構成とすることにより、前記切り起こし片１３を持ち上げた状態で袋１２を引き上げる際、板部２４ａを持ち上げることにより袋１２を簡単に引き上げることができる。
【図面の簡単な説明】
【００１８】
【図１】本発明の第１の実施の形態における包装箱の展開図である。
【図２】同包装箱による包装途中の状態を示す斜視図である。
【図３】同包装箱による包装完了直前の状態を示す斜視図である。
【図４】同包装箱による包装完了状態を示す斜視図である。
【図５】（Ａ）〜（Ｃ）は同包装箱から保証書を取り出す状態を示す要部拡大斜視図である。
【図６】同包装箱に保証書を再収納した状態を示す斜視図である。
【図７】本発明の第２の実施の形態における包装箱の展開図である。
【図８】（Ａ）〜（Ｃ）は同包装箱から保証書を取り出す状態を示す要部拡大斜視図である。
【符号の説明】
【００１９】
１              包装箱
２，３          側板
４，５          底板形成用フラップ
６，７          上蓋形成用フラップ
８，９          封緘テープ
１０              被包装物
１１              緩衝材
１２              袋
１３              切り起こし片
１４              切り欠き部
１５ａ，１５ｂ    カット線
１６              折曲線
１７              舌片
１８              切り込み
１９              押し込み片
２０              切り込み
２１，２２        凹部
２３              凹部
２４，２４ａ      板部
２５              切り込み
【図１】
2005200033.tif 000003
【図２】
2005200033.tif 000004
【図３】
2005200033.tif 000005
【図４】
2005200033.tif 000006
【図５】
2005200033.tif 000007
【図６】
2005200033.tif 000008
【図７】
2005200033.tif 000009
【図８】
2005200033.tif 000010